(57)【要約】【課題】圧力損失の変化が少なく、清掃時に取り扱い易い虫捕集部を有する換気装置を提供することを目的とする。【解決手段】ダクトを介して屋外と連通する換気装置本体１内の外気取入口４４に、フィルター１９と枠体２０とが一体化して箱体形状を形成した粗塵・防虫フィルター１５を設けた換気装置を構成することにより、虫捕集部の形状が安定するとともに、圧力損失の変化が少なく、清掃時に取り扱い易い虫捕集部を有する換気装置を提供することができる。【選択図】  図２
2004340508.tif 000002
【特許請求の範囲】
【請求項１】
屋外とダクトを介して連通し、強制的に外気を取り入れて屋内に供給する換気装置であって、前記屋外と連通する換気装置本体内の外気取入口に、フィルターと枠体とが一体化して箱体形状を形成した虫捕集部を設けたことを特徴とする換気装置。
【請求項２】
虫捕集部は分離可能な枠体で構成したことを特徴とする請求項１記載の換気装置。
【請求項３】
虫捕集部は屋外と連通する本体内の外気取入口に配置するための連結部を有することを特徴とする請求項１または２記載の換気装置。
【請求項４】
外気に含まれる粉塵を集塵する給気清浄フィルターを虫捕集部に隣接する下流側に備え、前記給気清浄フィルターは発泡スチロールからなるフィルターケースに保持され、換気装置本体に設けた第１の開口部内に前記フィルターケースを着脱するための第２の開口部を設けたことを特徴とする請求項１〜３のいずれかに記載の換気装置。
【請求項５】
給気清浄フィルターを保持するフィルターケースには複数の溝を設けたことを特徴とする請求項１〜４のいずれかに記載の換気装置。
【請求項６】
第１の開口部には室内空気に含まれる粗塵を捕集する着脱可能な排気フィルターを有する化粧パネルが配設されたことを特徴とする請求項１〜５のいずれかに記載の換気装置。
【請求項７】
化粧パネルは第１の開口部と天井板とを連結する機能を有するスライド枠にネジ止めされることを特徴とした請求項１〜６のいずれかに記載の換気装置。
【請求項８】
スライド枠のネジ取り付け位置を左右非対称とし、化粧パネルにリブを配設して前記化粧パネルの取付方向を規制することを特徴とした請求項１〜７のいずれかに記載の換気装置。
【発明の詳細な説明】
【０００１】
【発明の属する技術分野】
本発明は、外気を室内に供給する換気装置に関するものである。
【０００２】
【従来の技術】
従来の換気装置は、図１０に示すように、導入される外気に含まれる虫を除去するための虫捕集部として、袋状の捕集ネット４２により構成して外気取入口に配置し、袋状の捕集ネット４２に隣接して給気清浄フィルターを備えた熱交換素子部４３が配置されたものである（例えば、特許文献１参照）。
【０００３】
【特許文献１】
特開平１１―３２５５３５号公報
【０００４】
【発明が解決しようとする課題】
しかしながら、上記従来の構成では虫捕集部は袋状であるためにネットの形状が不安定であり、圧力損失が付加方向に変化しやすく換気性能に影響を与えるとい課題があった。また、虫捕集部を清掃、着脱する際には熱交換素子部を取り外さなければならないという課題があった。
【０００５】
本発明は、このような従来の課題を解決するものであり、ネットの形状が安定することにより圧力損失の変化が少なく、清掃時に取り扱い易い虫捕集部を有する換気装置を提供することを目的とする。
【０００６】
また、熱交換素子部を取り外すことなく虫捕集部を清掃、着脱することができる換気装置を提供することを目的とする。
【０００７】
【課題を解決するための手段】
前記従来の課題を解決するために、本発明の換気装置は、屋外とダクトを介して連通し、強制的に外気を取り入れて屋内に供給する換気装置であって、前記屋外と連通する換気装置本体内の外気取入口に、フィルターと枠体とが一体化して箱体形状を形成した虫捕集部を設けたものである。
【０００８】
また、本発明の換気装置は、虫捕集部は分離可能な枠体で構成したものである。
【０００９】
また、本発明の換気装置は、虫捕集部は屋外と連通する本体内の外気取入口に配置するための連結部を有するものである。
【００１０】
また、本発明の換気装置は、外気に含まれる粉塵を集塵する給気清浄フィルターを虫捕集部に隣接する下流側に備え、前記給気清浄フィルターは発泡スチロールからなるフィルターケースに保持され、換気装置本体に設けた第１の開口部内に前記フィルターケースを着脱するための第２の開口部を設けたものである。
【００１１】
また、本発明の換気装置は、給気清浄フィルターを保持するフィルターケースには複数の溝を設けたものである。
【００１２】
また、本発明の換気装置は、第１の開口部には室内空気に含まれる粗塵を捕集する着脱可能な排気フィルターを有する化粧パネルが配設されたものである。
【００１３】
また、本発明の換気装置は、化粧パネルは第１の開口部と天井板とを連結する機能を有するスライド枠にネジ止めされるものである。
【００１４】
また、本発明の換気装置は、スライド枠のネジ取り付け位置を左右非対称とし、化粧パネルにリブを配設して前記化粧パネルの取付方向を規制するものである。
【００１５】
【発明の実施の形態】
請求項１に記載の発明は、屋外とダクトを介して連通し、強制的に外気を取り入れて屋内に供給する換気装置であって、前記屋外と連通する換気装置本体内の外気取入口に、フィルターと枠体とが一体化して箱体形状を形成した虫捕集部を設けたことにより、虫捕集部の形状が安定し、通風や清掃によるネットの変形が回避され、圧力損失の上昇による必要換気風量の低下が解消できる。
【００１６】
請求項２に記載の発明は、特に請求項１に記載の換気装置に、虫捕集部は分離可能な枠体で構成したことにより、換気装置本体から虫捕集部を取り出して虫等を廃棄するときに、虫捕集部内に捕集されている粗塵・虫等を室内にこぼしてしまうことなく容易に廃棄作業を行うことができる。
【００１７】
請求項３に記載の発明は、特に請求項１または２に記載の換気装置に、虫捕集部は屋外と連通する本体内の外気取入口に配置するための連結部を有することにより、虫捕集部の着脱の際、容易に片手で取り外しが可能となる。
【００１８】
請求項４に記載の発明は、特に請求項１〜３のいずれかに記載の換気装置に、外気に含まれる粉塵を集塵する給気清浄フィルターを虫捕集部に隣接する下流側に備え、前記給気清浄フィルターは発泡スチロールからなるフィルターケースに保持され、換気装置本体に設けた第１の開口部内に前記フィルターケースを着脱するための第２の開口部を設けたことにより、前記第２の開口部からフィルターケースを外すことで虫捕集部の着脱ができ、また、フィルターケースを取り外すことで虫捕集部の汚れ度合いを目視で確認でき、フィルターケースを取り外した際の粗塵・虫の落下を防止することも可能となる。さらに熱交換素子部を取り外すことなく、虫捕集部および給気清浄フィルターの着脱、清掃を容易に行うことができる。
【００１９】
請求項５に記載の発明は、特に請求項１〜４のいずれかに記載の換気装置に、給気清浄フィルターを保持するフィルターケースには複数の溝を設けたことにより、換気装置が設置される屋外の環境状態に対応した様々な用途、清浄精度、厚さのフィルターを搭載することができる。
【００２０】
請求項６に記載の発明は、特に請求項１〜５のいずれかに記載の換気装置に、第１の開口部には室内空気に含まれる粗塵を捕集する着脱可能な排気フィルターを有する化粧パネルが配設されたことにより、清掃時、掃除機にて直接清掃可能であり、またつまみにより着脱可能であるため取り外して清掃することもできる。
【００２１】
請求項７に記載の発明は、特に請求項１〜６のいずれかに記載の換気装置に、化粧パネルは第１の開口部と天井板とを連結する機能を有するスライド枠にネジ止めされることにより、前記化粧パネルと前記スライド枠の距離は前記天井板の厚さの変化によらず、一定に保たれることにより前記化粧パネルと前記天井板を隙間なく取り付けることができる。
【００２２】
請求項８に記載の発明は、特に請求項１〜７のいずれかに記載の換気装置に、スライド枠のネジ取り付け位置を左右非対称とし、化粧パネルにリブを配設して前記化粧パネルの取付方向を規制することにより、化粧パネルの取付方向を特定することができる。
【００２３】
以下、本発明の実施例を図面を参照しながら説明する。
【００２４】
（実施の形態１）
図１および図２に示すように、換気装置本体１は、建物内の屋根裏空間または１階天井裏空間に設置され、新鮮外気を外気給気口２から導入し、内蔵する熱交換素子部３を通過して室内給気口４を経て室内に供給する。このとき外気給気口２から導入された外気には、外気給気口２付近に浮遊している粗塵および虫などが混入している。一方、室内汚染空気は、室内排気口５から導入され、熱交換素子部３を通過し室外排気口６を経て室外に排気される。このとき、熱交換素子部３は排気空気の熱量を給気空気に回収する機能を有している。外気給気口２から導入される新鮮外気空気と室内排気口５から導入される室内汚染空気は熱交換素子部３を経て電動機７に同一軸８にて連結された給気用ファン９と排気用ファン１０により移送される。
【００２５】
また、換気装置本体１は局部排気口１１より導入された一部の室内汚染空気を熱交換素子部３を通過せず排気用ファン１０により室外排気口６を経て室外に排気する経路を有する。さらに、室内の空気を吸い込むために設けられた局部排気口１１は、図３に示すように、本体左右部排気口１２、本体天面部排気口１３、本体給気口設置面１４のいずれかに接続されたダクトを介して換気装置本体１を連通するものである。
【００２６】
また、外気給気口２より導入された空気には粗塵・虫などが混入しているので、外気給気口２とダクトを介して連通された外気取入口４４に設置された虫捕集部としての粗塵・防虫フィルター１５により粗塵・虫などが捕集され、さらに微細な粉塵は粗塵・防虫フィルター１５の下流側に隣接して設けられる給気清浄フィルター１６により捕集され、清浄された後に室内に供給される。一方、室内汚染空気に混入する塵埃は、図４に示すように室内排気口５に設置された化粧パネル１７に付属の排気フィルター１８により捕集される。
【００２７】
図５〜図７に示すように、粗塵・防虫フィルター１５はフィルター１９と枠体２０とが一体成形された虫捕集用ボックス２１と防虫用フィルターカバー２２とから構成され、両者は防虫用フィルターカバーの溝２３を介しスライドしながら着脱できる。捕集された粗塵・虫などは清掃の際、防虫用フィルターカバーの開口部２４から掃除機などで除去できるが、汚れのひどい場合などには防虫用フィルターカバー２２と虫捕集用ボックス２１をスライドしながら分離させ、それぞれ清掃することができる。この虫捕集用ボックス２１は、枠体２０により所定の深さをもった箱形形状であるため、虫等が大量に捕集されて留まったとしても、圧力損失が低下して換気性能が著しく低下するまでには至らない。また、虫を廃棄する場合、防虫用フィルターカバー２２を上にして虫捕集用ボックス２１を下にした状態で粗塵・防虫フィルター１５を運び出し、廃棄場所（例えば、ごみ箱など）の中で、防虫用フィルターカバー２２と虫捕集用ボックス２１をスライドしながら分離させれば、虫等が手についたり、部屋の中に落下することなく清潔に清掃することができる。また、虫捕集用ボックス２１と防虫用フィルターカバー２２の分離構造はスライド構造のみならず複数の爪部３２による嵌合方式にても実現できる。
【００２８】
また、虫捕集用ボックス２１と防虫用フィルターカバー２２を組み合わせたときの双方の隙間は０．３ｍｍ以下にすることで微細な塵埃・虫などを確実に捕集できる。虫捕集用ボックス２１のフィルター１９は枠体２０と一体成形することで変形を防ぎ、常に一定の捕集容積を保持することにより安定した換気風路を確保することができる。
【００２９】
ところで、フィルター１９はメッシュ間隔０．５ｍｍ以下の微細なネットで構成されており、微細な虫などを確実に捕集することができる。またポリエチレン製のネットはポリプロピレン製およびナイロン製と比較して耐候性・耐水性を有するものである。
【００３０】
防虫用フィルターカバー２２および虫捕集用ボックス２１には変形を防止するためのそれぞれ防虫用フィルターカバーのリブ２５、虫捕集用ボックスのリブ２６を有しており、両者は防虫用フィルターカバーの溝２３を介して連結することで粗塵・防虫フィルター１５の変形が防止され、経年変化に耐えうる構造となる。
【００３１】
図８に示すように、粗塵・防虫フィルター１５は外気給気口２を形成しているアダプター２７と平面的に接しており、両者は緩衝材２８により密閉されている。これにより外気から侵入する微細な粉塵および虫などは粗塵・防虫フィルター１５内に捕集される。
【００３２】
防虫用フィルターカバー２２には外気給気口２へ突出したガイド部２９が設けられ、着脱清掃時に多量の粉塵・虫などを捕集した際にも粗塵・防虫フィルター１５外への粉塵・虫などの落下を防止できる。さらに、粗塵・防虫フィルター１５の着脱は、換気装置本体１側の挿入溝３０に粗塵・防虫フィルター１５のフィルター先端部３１を合わせながら粗塵・防虫フィルター１５に形成している爪部３２をアダプター２７の嵌合部４５にはめ込みながら行う。爪部３２は１箇所であるため、ワンタッチで粗塵・防虫フィルター１５が着脱可能である。この嵌合部４５は粗塵・防虫フィルター１５を外気給気口２に配置するための連結機能を有するものであり、爪部のみならす、磁石あるいはネジ、マジックテープ（登録商標）などでも代用することができる。
【００３３】
図１および図４に示すように、粗塵・防虫フィルター１５を通過した微細な塵埃は隣接するより高性能な集塵性能を有する給気清浄フィルター１６により捕集される。この給気清浄フィルター１６はフィルターケース３３の溝３４に保持されている。なお、フィルターケース３３は形状の異なる複数の溝３４を有し、必要に応じて様々な用途のフィルターが搭載可能である。また、このフィルターケース３３を形成する材質は樹脂および金属でも代用することができる。この溝３４は各種フィルターの取り付け方向を決定する形状に成形している。様々な用途のフィルターとしては中性能花粉フィルター、高性能集塵フィルター、窒素酸化物除去フィルターなどがある。
【００３４】
給気清浄フィルター１６の清掃時にはフィルターケース３３を取り外すが、この際、アダプター２７に粗塵・防虫フィルター１５は装着された状態であるので、捕集された粗塵・虫などが落下することなく容易に目視することができる。またこの粗塵・防虫フィルター１５により大半の塵埃を除去するので隣接する給気清浄フィルター１６の捕集寿命を延ばすことができる。なお、熱交換素子部３はフィルターケース３３から独立しさらに下流側に位置するため粗塵・防虫フィルター１５または給気清浄フィルター１６を清掃する際、取り外す必要はない。
【００３５】
室内排気口５に設置された化粧パネル１７に備えた排気フィルター１８は、清掃時、掃除機にて直接清掃可能であり、また、つまみ３５により着脱可能であるため取り外して清掃することもできる。
【００３６】
排気フィルター１８を取り外された化粧パネル１７にはフィルターケース３３および熱交換素子部３を清掃したり、メンテナンスが可能な化粧パネルの開口部３６を有しているので、化粧パネル１７を第１の開口部３７より取り外すことなくフィルターケース３３および熱交換素子部３をメンテナンスあるいは清掃可能である。
【００３７】
図９に示すように、第１の開口部３７と同様の大きさを有する天井板の開口部３８にフランジ部を有するスライド枠３９を取り付け、フランジ部に天井板４０を挟みながら第１の開口部３７にスライド枠３９をネジにて取り付ける。化粧パネル１７は、天井板４０に取り付けられたスライド枠３９にネジ止めすることにより、化粧パネル１７とスライド枠３９の距離は天井板４０の厚さの変化によらず、一定に保たれることにで化粧パネル１７と天井板４０を隙間なく取り付けることができる。
【００３８】
スライド枠３９のネジ取り付け位置４７を左右非対称とし、化粧パネル１７にリブ４１を配設する。この構成により、スライド枠３９は左右非対称なネジ取り付け位置４７のため第１の開口部３７に対して一義的に固定され、化粧パネル１７はリブ４１のため、スライド枠に対して一義的に固定されることになる。このように、化粧パネル１７の取り付け方向を換気装置本体１に対して一義的にきめて規制するので、不具合のある状態で化粧パネル１７が取り付けられてしまうことがない。
【００３９】
【発明の効果】以上のように本発明の換気装置によれば、換気装置本体の外気取入口に箱体形状の虫捕集部を有することにより、虫捕集部の形状が安定し、圧力損失の上昇による必要換気風量の低下を防止することができる。
【００４０】
また、給気清浄フィルター備えたフィルターケースを虫捕集部に隣接する下流側に備えたことにより、熱交換素子部を取り外すことなく、フィルターケースを着脱するだけで虫捕集部の着脱することができる。
【図面の簡単な説明】
【図１】本発明の実施の形態１における換気装置の設置状態を示す平面図
【図２】同換気装置の設置状態を示す断面図
【図３】同換気装置の設置状態を示す側面図
【図４】同換気装置を示す斜視図
【図５】同換気装置の粗塵・防虫フィルターの分離した状態を示す斜視図
【図６】同換気装置の粗塵・防虫フィルターの虫捕集用ボックスをスライドさせた状態を示す平面図
【図７】同換気装置の粗塵・防虫フィルターの虫捕集用ボックスをスライドさせた状態を示す断面図
【図８】同換気装置の粗塵・防虫フィルターを着脱した状態を示す部分断面図
【図９】同換気装置の化粧パネルおよびスライド枠を示す平面図
【図１０】従来の換気装置を示す部分断面図
【符号の説明】
１      換気装置本体
２    外気給気口
１５  粗塵・防虫フィルター
１６  給気清浄フィルター
１７  化粧パネル
１８  排気フィルター
２０  枠体
３４  フィルターケースの溝
３７  第１の開口部
３９  スライド枠
４１  リブ
４７  ネジ取り付け位置
【図１】
2004340508.tif 000003
【図２】
2004340508.tif 000004
【図３】
2004340508.tif 000005
【図４】
2004340508.tif 000006
【図５】
2004340508.tif 000007
【図６】
2004340508.tif 000008
【図７】
2004340508.tif 000009
【図８】
2004340508.tif 000010
【図９】
2004340508.tif 000011
【図１０】
2004340508.tif 000012